(57)【要約】      （修正有）【課題】アメリカ仕様とオーストラリア仕様の切替機能を持つ電源プラグを提供する。【解決手段】電源プラグは、筐体１０と上蓋２０と下蓋３０と一対のプラグ部品と直線歯６０と回転環７０とを含む。筐体は上板と側板と上板上に設置する収納筒１３とを含む。上蓋と下蓋はそれぞれ筐体の収納筒の上部端と底端に被せて結合し固定する。直線歯は上蓋と下蓋の間に嵌設する。プラグ部品は、上蓋に取り付け、歯車軸４０と、一体成形し歯車軸上に固定する導電片５０とを含み、歯車軸は回転部４１と回転歯４３を備える。回転環は、上板の上表面から露出する筐体の収納筒に嵌設し、回転環の内壁には一対の阻止体７２を突設する。回転環の時計廻りの回転に伴い、阻止体が直線歯を押圧してそれを移動し、直線歯のスライド歯６２が歯車軸上の回転歯４３を連動することで導電片が回転し、電源プラグをアメリカ仕様及びオーストラリア仕様に切替える。【選択図】図２
0003186178.tif 000002
【実用新案登録請求の範囲】
【請求項１】
筐体と上蓋と下蓋と一対のプラグ部品と直線歯と回転環とを含む電源プラグにおいて、  前記筐体は、上板と、上板のエッジから下方向に垂直に延伸して最初と最後が連結する複数の側板と、上板上に設置する収納筒とを含み、該収納筒は上方向と下方向に上板から張り出し、収納筒の筒壁の上表面には上方向に突出し間隔をあけて円弧形をなす二つの第一阻止壁と第二阻止壁とを形成し、
前記上蓋は、筐体の収納筒の上部端に被せて結合し固定し、上蓋の下表面の中央箇所には棒状の上凹部を設け、
前記下蓋は、筐体の収納筒の底端に被せて結合し固定し、下蓋の上表面の中央箇所には上方向に突出した棒状の棒状突出部を設け、棒状突出部の上表面の中央箇所には下方向に窪む下凹部を形成し、
一対のプラグ部品は、上蓋に取り付け、歯車軸と、一体成形し歯車軸上に固定する導電片とを含み、歯車軸は垂直に上下延伸し円柱状をなす回転部を備え、二つの歯車軸の回転部は内側表面に相対して突出し鋸歯形状の回転歯を形成し、
前記直線歯は、その上下表面のそれぞれに上方向及び下方向に突出する一対の長い棒体状のガイドレールを形成し、直線歯左右両側それぞれに左方向及び右方向に突出する鋸歯形状のスライド歯を形成し、
前記回転環は、上板の上表面から露出する筐体の収納筒に嵌設し、回転環の内壁には両側に相対して一対の阻止体を突設し、該阻止体の一方の側壁は回転環の内壁に垂直に連結し、もう一方の側壁は円弧形状をなして回転環の内壁に連結し、
そのうち、直線歯は、上表面と下表面から突出したガイドレールによって上蓋の上凹部と下蓋の下凹部内にスライド可能形態で設置され、直線歯両側のスライド歯はそれぞれ、プラグ部品の歯車軸上の回転歯と噛合し、二つの阻止体は筐体の第一阻止壁と第二阻止壁の間に対応させて引き掛けて設置し、そのうち、一つの阻止体の垂直面は筐体の第一阻止壁を押圧し、もう一つの阻止体の斜面は筐体の第二阻止壁を押圧することを特徴とする電源プラグ。
【請求項２】
前記上蓋の上凹部両側に一対の固定孔を貫設し、上蓋の下表面の固定孔周囲には垂直に突出する一対の固定筒を形成し、尚且つ上凹部を向いた固定筒箇所には切欠口を設置し、  前記下蓋の下凹部の両側には一対の収容孔を貫設し、下蓋の上表面の収容孔周囲には垂直に上方向に突出する一対の収容筒を形成し、該収容筒の上端には内側に延伸する嵌着台を形成し、
前記回転部の上表面には上方向に延伸し直径が回転部より小さい被嵌部を形成し、
前記導電片は、固定支持部と、固定支持部の一端に連結する挿着部と、固定支持部の別の一端に連結する突合せ部とを含み、
前記回転部は固定筒内において回転可能形態で位置を限定され、嵌着台は回転部の下表面を嵌着してそれを支持し、被嵌部は固定孔内に嵌設され、回転歯は切欠口から突出し、導電片の固定支持部は歯車軸上に一体成形し、挿着部は歯車軸の上表面に露出する一部を上蓋の上表面に露出させ、突合せ部は歯車軸の下表面に露出する一部を下蓋の収容筒内に延伸させることを特徴とする請求項１に記載の電源プラグ。
【請求項３】
前記上蓋の下表面の上凹部の固定筒を設けた箇所の両側には垂直に突出する一対の制御板を形成し、該制御板は回転歯から張り出した部分の直線歯の両側を止めるよう設置することを特徴とする請求項２に記載の電源プラグ。
【請求項４】
前記筐体の収納筒の筒壁内表面下部には内側方向に突出する突出体を設け、該突出体上には突出体下表面及び収納筒の筒壁を貫通する収納部を設け、該収納部には、突出体内側に位置する可動部と可動部外側に延伸する押圧接合溝部とをさらに含み、該押圧接合溝部は収納筒の筒壁を貫通し、
前記回転環内壁の阻止体の下方向内側には、内壁に繞設する複数の円弧形歯を突設し、  前記電源プラグには引動機構をさらに含み、該引動機構は、スライド体と、スライド体と収納部内壁を弾性をもって圧する弾性部品とを含み、該スライド体はブロック形状の位置限定部と、位置限定部の外側表面から外側方向に突設した押圧接合部と、スライド体の内側表面上に窪み形状で設けられる窪み部とを含み、弾性部品の一端は収納部の内壁を押圧し、もう一端はスライド体の窪み部の壁を押圧し、引動機構は収納部内に取り付け、スライド体の位置限定部は弾性部品を用いて内外にスライドさせて収納部の可動部内に動きを限定させ、スライド体の押圧接合部は押圧接合溝部内に位置を限定し、尚且つ内外にスライドして筐体の外側表面に張り出し、弾性をもって伸縮して回転環の円弧形歯間を押圧することを特徴とする請求項１に記載の電源プラグ。
【請求項５】
前記筐体の収納筒の筒壁下表面には複数の楔形嵌着部を突設し、前記下蓋の上表面周囲には、筐体の収納筒に対応し下方向に窪む形態で円弧形状の固定溝を形成し、筐体の収納筒の下端は固定溝内に嵌合し、収納筒下端の楔形嵌着部を固定溝の底壁上に溶接することを特徴とする請求項４に記載の電源プラグ。
【請求項６】
前記固定溝は突出体箇所に対応して密封され、突出体はちょうど固定溝の密封箇所に向き合うことを特徴とする請求項５に記載の電源プラグ。
【請求項７】
前記筐体の上板の下表面には収納筒の筒壁に連結し、尚且つ収納筒の筒壁下表面を超える定位柱を突設し、前記固定溝には筐体の定位柱箇所に対応する一対の定位孔を設け、定位柱は定位孔内に固定することを特徴とする請求項５に記載の電源プラグ。
【請求項８】
前記筐体の第一阻止壁と第二阻止壁の上表面内側には嵌合部を設け、前記上蓋の下表面の周辺縁に接近する箇所には第一阻止壁と第二阻止壁に対応して、円弧形の第一嵌合壁と第二嵌合壁を垂直に突出させて形成し、該第一嵌合壁と第二嵌合壁の下表面には複数の棒状嵌着部を突設し、筐体の第一嵌合壁と第二嵌合壁は嵌合部内に嵌合し、第一嵌合壁と第二嵌合壁の棒状嵌着部は嵌合部の底壁上に溶接することを特徴とする請求項１に記載の電源プラグ。
【請求項９】
前記回転環外壁の内側方向には窪み形態で回転環の上下表面を貫通する複数の溝部を形成することを特徴とする請求項１に記載の電源プラグ。
【考案の詳細な説明】
【技術分野】
【０００１】
本考案は、プラグに関し、特に電源プラグに係る。
【背景技術】
【０００２】
社会の進歩に伴い、様々な電気機器が既に人々の日常生活の中に不可欠な道具となった。そのうち、電源の主な機能は、一般の電気を整流して直流に変換し、電気機器使用時に必要な電源を提供することである。例えば、ノートブックパソコンの変換器或いは携帯及びデジタルカメラの充電器等はすべて電源変換器の一種である。
【０００３】
電源変換器は電源コンセントに差し込むプラグを含み、一般の電気を受け入れる。国際ビジネスの発展及びレジャーライフ品質が益々重視されるため、我々が商務や旅行等で出国する機会も日々高まっている。ノートブックパソコン、携帯電話、デジタルカメラ等の携帯式電子機器もまた我々の出国に必要な電気製品となった。
【０００４】
しかし、世界各国のコンセントの規格は種類が非常に多く、異なるコンセントの規格に合わせるために、通常、電源変換器を変換プラグに接続し、更に変換プラグをコンセント内に差し込んで、電源変換器とコンセントとの電気的接続を完成させる。よって、使用者によっては非常に不便な点がある。
【考案の概要】
【考案が解決しようとする課題】
【０００５】
前述の公知技術に存在する不足点に対し、本考案は、回転プラグの角度によってアメリカ仕様とオーストラリア仕様間の切替機能を実現する電源プラグの提供を目的とする。
【課題を解決するための手段】
【０００６】
上述の目的を達成するために、本考案は電源プラグを提供し、それは、筐体と上蓋と下蓋と一対のプラグ部品と直線歯と回転環とを含む。前記筐体は上板と、上板のエッジから下方向に垂直に延伸して最初と最後が連結する複数の側板と、上板上に設置する収納筒とを含む。該収納筒は上方向と下方向に上板から突出し、収納筒の筒壁の上表面には上方向に突出し間隔をあけて円弧形をなす二つの第一阻止壁と第二阻止壁とを形成する。前記上蓋は筐体の収納筒の上部端に被せて結合し固定する。上蓋の下表面の中央箇所には棒状の上凹部を設ける。前記下蓋は筐体の収納筒の底端に被せて結合し固定する。下蓋の上表面の中央箇所には上方向に突出した棒状の棒状突出部を設け、棒状突出部の上表面の中央箇所には下方向に窪む下凹部を形成する。一対のプラグ部品は上蓋に取り付け、歯車軸と、一体成形し歯車軸上に固定する導電片とを含む。歯車軸は垂直に上下延伸し円柱状をなす回転部を備え、二つの歯車軸の回転部は内側表面に相対して突出し鋸歯形状の回転歯を形成する。前記直線歯の上下表面にはそれぞれ上方向及び下方向に突出する一対の長い棒体状のガイドレールを形成し、直線歯左右両側それぞれに左方向及び右方向に突出する鋸歯形状のスライド歯を形成する。前記回転環は、上板の上表面から露出する筐体の収納筒に嵌設し、回転環の内壁には両側に相対して一対の阻止体を突設し、該阻止体の一方の側壁は回転環の内壁に垂直に連結し、もう一方の側壁は円弧形状をなして回転環の内壁に連結する。直線歯は上表面と下表面から突出したガイドレールによって上蓋の上凹部と下蓋の下凹部内にスライド可能形態で設置され、直線歯両側のスライド歯はそれぞれ、プラグ部品の歯車軸上の回転歯と噛合する。二つの阻止体は筐体の第一阻止壁と第二阻止壁の間に対応させて引き掛けて設置する。そのうち、一つの阻止体の垂直面は筐体の第一阻止壁を押圧し、もう一つの阻止体の斜面は筐体の第二阻止壁を押圧する。
【考案の効果】
【０００７】
本考案の電源プラグは、回転環を回転させることを通して、回転環の阻止体が直線歯を押圧してそれを移動し、直線歯のスライド歯は歯車軸上でスライド歯と噛み合う回転歯を連動し、歯車軸上に一体成形した導電片が回転する。これによって、導電片は平行状態或いは八の字状態に切り替えられて、電源プラグのアメリカ仕様及びオーストラリア仕様の切替機能を実現する。
【図面の簡単な説明】
【０００８】
【図１】本考案電源プラグの実施例についての立体図である。
【図２】図１に示した電源プラグの立体分解図である。
【図３】図１に示した電源プラグの筐体についての立体図である。
【図４】図１に示した電源プラグの上蓋についての立体図である。
【図５】図１に示した電源プラグの上面図である。
【図６】図１に示した電源プラグの導電片が平行状態であることを示した図である。
【図７】図１に示した電源プラグの導電片が八の字状態であることを示した図である。
【考案を実施するための形態】
【０００９】
以下に図面を参照しながら本考案を実施するための最良の形態について詳細に説明する。
【００１０】
図１及び図２に示すとおり、本考案の電源プラグ１００は、筐体１０と上蓋２０と下蓋３０と一対のプラグ部品と直線歯６０と回転環７０と引動機構８０とを備える。
【００１１】
図２から図５に示すとおり、前記筐体１０は任意の形状をなし、尚且つ収納空間を備えた中空体である。本考案実施例において筐体１０は開放面を備えた矩形の中空体である。筐体１０は開放面に向き合う上板１１と、上板１１のエッジから下方向に垂直に延伸して最初と最後が連結する複数の側板１２と、上板１１上に設置する収納筒１３とを含む。該収納筒１３は筒状をなし、上方向と下方向に上板１１から突出する。収納筒１３の筒壁の上表面には上方向に突出し間隔をあけて円弧形をなす二つの第一阻止壁１４１と第二阻止壁１４２とを形成し、第一阻止壁１４１と第二阻止壁１４２の上表面内側には嵌合部１４３を設ける。
【００１２】
本実施例の好ましい形態では、第一阻止壁１４１と第二阻止壁１４２を収納筒１３の筒壁の上表面の相対する両側に設置する。収納筒１３の筒壁下表面には複数の楔形嵌着部１３１を突設する。収納筒１３の筒壁内表面下部には内側方向に突出する突出体１５を設け、突出体１５上には突出体１５下表面及び収納筒１３の筒壁を貫通する収納部１６を設ける。収納部１６には、突出体１５内側に位置する可動部１６１と可動部１６１外側に延伸する押圧接合溝部１６２とをさらに含み、該押圧接合溝部１６２は収納筒１３の筒壁を貫通する。上板１１の下表面には収納筒１３の筒壁に連結し、尚且つ収納筒１３の筒壁下表面を超える定位柱１７を突設する。本実施例での好ましい形態では、収納筒１３の筒中心を中心として対称となる箇所に二つの定位柱１７を設ける。
【００１３】
上蓋２０を筐体１０の収納筒１３の上部端に被せて結合し固定する。上蓋２０は円形板形状をなし、その下表面の中央箇所には棒状の上凹部２１を設け、上蓋２０の上凹部２１両側に一対の固定孔２２を貫設し、上蓋２０の下表面の固定孔２２周囲には垂直に突出する一対の固定筒２３を形成し、尚且つ上凹部２１を向いた固定筒２３箇所には切欠口２４を設置する。上蓋２０の下表面の上凹部２１の固定筒２３を設けた箇所の両側には一対の制御板２５を形成する。上蓋２０の下表面の周辺縁に接近する箇所の第一阻止壁１４１と第二阻止壁１４２に対応して円弧形の第一嵌合壁２６１と第二嵌合壁２６２を垂直に突出させて形成し、該第一嵌合壁２６１と第二嵌合壁２６２の下表面には複数の棒状嵌着部２６３を突設する。第一嵌合壁２６１と第二嵌合壁２６２は嵌合部１４３内に嵌合し、超音波工法を用いて棒状嵌着部２６３を嵌合部１４３の底壁上に溶接し、これにより、上蓋２０を筐体１０の収納筒１３の上部端に被せて結合固定する。
【００１４】
下蓋３０は筐体１０の収納筒１３の底端に被せて結合し固定する。下蓋３０の上表面の中央箇所には上方向に突出した棒状の棒状突出部３１を設け、棒状突出部３１の上表面の中央箇所には下方向に窪む下凹部３１１を形成する。下蓋３０の下凹部３１１の両側には一対の収容孔３２を貫設し、下蓋３０の上表面の収容孔３２周囲には垂直に上方向に突出する一対の収容筒３３を形成し、該収容筒３３の上端には内側に延伸する嵌着台３４を形成する。下蓋３０の上表面周囲には、筐体１０の収納筒１３に対応し下方向に窪む形態で円弧形状の固定溝３５を形成し、該固定溝３５は突出体１５箇所に対応して密封状態をつくる。また、固定溝３５には筐体１０の定位柱１７箇所に対応する一対の定位孔３６を設ける。収納筒１３の下端は固定溝３５内に嵌合し、超音波工法によって楔形嵌着部１３１を固定溝３５の底壁上に溶接し、これにより、下蓋３０は筐体１０の収納筒１３の底端に被せられて結合し固定する。尚、筐体１０の突出体１５はちょうど固定溝３５の密封箇所に向き合い、定位柱１７は定位孔３６内に固定される。
【００１５】
各プラグ部品は歯車軸４０と、一体成形し歯車軸４０上に固定される導電片５０とを含む。歯車軸４０は垂直に上下延伸し円柱状をなす回転部４１を備え、回転部４１の上表面には上方向に延伸し直径が回転部４１より小さい被嵌部４２を形成し、二つの歯車軸４０の回転部４１は内側表面に相対して突出し鋸歯形状の回転歯４３を形成する。また、導電片５０は、固定支持部（未図示）と、固定支持部の一端に連結する挿着部（未図示）と、固定支持部の別の一端に連結する突合せ部（未図示）とを含む。導電片５０の固定支持部は歯車軸４０上に一体成形し、挿着部は歯車軸４０の上表面に露出し、突合せ部は歯車軸４０の下表面に露出する。
【００１６】
直線歯６０はほぼ長い棒体状をなし、その上下表面はそれぞれ上方向及び下方向に突出する一対の長い棒体状のガイドレール６１を形成し、直線歯６０左右両側それぞれに左方向及び右方向に突出する鋸歯形状のスライド歯６２を形成する。
【００１７】
回転環７０外壁の内側方向に窪み、回転環７０の上下表面を貫通し、尚且つ等間隔に配列された複数の溝部７１を形成し、回転環７０の内壁には両側に相対して突出する一対の阻止体７２を設け、該阻止体７２の一方の側壁は回転環７０の内壁に垂直に連結し、もう一方の側壁は円弧形状をなして回転環７０の内壁に連結し、回転環７０の内壁の阻止体７２の下方向内側には、内壁に繞設する複数の円弧形歯７３を突設する。
【００１８】
引動機構８０は収納部１６内に取り付け、スライド体８１と、スライド体８１と収納部１６内壁を弾性をもって圧する弾性部品８２とを含む。スライド体８１はブロック形状の位置限定部８１１と、位置限定部８１１の外側表面から外側方向に突設した押圧接合部８１２と、スライド体８１の内側表面上に窪み形状で設けられる窪み部８１３とを含む。弾性部品８２の一端は収納部１６の内壁を押圧し、もう一端はスライド体８１の窪み部８１３の壁を押圧する。
【００１９】
図２及び図５に示すとおり、本考案の電源プラグ１００を組み立てる際は、上蓋２０を筐体１０の収納筒１３の上部端に被せ結合して固定し、下蓋３０を筐体１０の収納筒１３の底端に被せ結合して固定し、これにより、収納筒１３には密封空間が形成される。プラグ部品を上蓋２０上に取り付けると、回転部４１は固定筒２３内において回転可能形態で位置を限定され、嵌着台３４は回転部４１の下表面を嵌着してそれを支持し、被嵌部４２は固定孔２２内に嵌設され、回転歯４３は切欠口２４から突出し、導電片５０の挿着部は歯車軸４０の上表面から露出した一部を上蓋２０の上表面から露出させ、突合せ部は、歯車軸４０の下表面に露出した一部が下蓋３０の収容筒３３内に延伸する。直線歯６０は上表面と下表面から突出したガイドレール６１によって上蓋２０の上凹部２１と下蓋３０の下凹部３１１内にスライド可能形態で設置され、直線歯６０両側のスライド歯６２はそれぞれ、プラグ部品の歯車軸４０上の回転歯４３と噛合する。これにより、直線歯６０は上凹部２１と下凹部３１１に沿って直線にスライドする時、二つのプラグ部品は向き合って内側方向に或いは向き合って共に外側方向に動く。制御板２５は回転歯４３から張り出した部分の直線歯６０の両側を止め、直線歯６０が上凹部２１と下凹部３１１を確実に離脱しないようにする。
【００２０】
引動機構８０は収納部１６内に取り付け、スライド体８１の位置限定部８１１は弾性部品８２を用いて内外にスライドさせて収納部１６の可動部１６１内に動きを限定させる。スライド体８１の押圧接合部８１２は押圧接合溝部１６２内に位置を限定し、尚且つ内外にスライドして筐体１０の外側表面に張り出す。回転環７０は、上板１１上表面から露出する筐体１０の収納筒１３に嵌設し、二つの阻止体７２は筐体１０の第一阻止壁１４１と第二阻止壁１４２の間に対応させて引き掛けて設置する。そのうち、一つの阻止体７２の垂直面は筐体１０の第一阻止壁１４１を押圧し、もう一つの阻止体７２の斜面は筐体１０の第二阻止壁１４２を押圧する。引動機構８０の押圧接合部８１２は弾性をもって伸縮して回転環７０の円弧形歯７３の間を押圧し、回転環７０を定位させる。
【００２１】
図６及び図７に示すとおり、使用過程において、回転環７０は時計回りに回転し、回転環７０の阻止体７２の斜面は、力の作用によって直線歯６０を圧して上凹部２１と下凹部３１１に沿って後方に移動し、直線歯６０のスライド歯６２は噛み合う歯車軸４０の回転歯４３を連動するため、二つの歯車軸４０は、回転環７０の阻止体７２の斜面が第一阻止壁１４１上を圧し尚且つ回転環７０のもう一つの阻止体７２の垂直面が筐体１０の第二阻止壁１４２上を圧するまで、向き合って共に内側方向に回転し、この時、導電片５０は八の字状態となる。それに対し、回転環７０は逆時計回りに、回転環７０の阻止体７２の垂直面が第二阻止壁１４２上を圧し、尚且つ回転環７０のもう一つの阻止体７２の斜面が筐体１０の第一阻止壁１４１上を圧するまで回転し、二つの導電片５０は元の位置に戻り平行状態となる。
【００２２】
前述したとおり、本考案の電源プラグ１００は、回転環７０を回転させることを通して、回転環７０の阻止体７２が直線歯６０を押圧してそれを移動し、直線歯６０のスライド歯６２は歯車軸４０上でスライド歯６２と噛み合う回転歯４３を連動し、歯車軸４０上に一体成形した導電片５０に角度回転を起こさせ、導電片５０を平行状態或いは八の字状態に切り替えることによって、電源プラグ１００のアメリカ仕様及びオーストラリア仕様の切替機能を実現する。
【符号の説明】
【００２３】
１００          電源プラグ
１０            筐体
１１            上板
１２            側板
１３            収納筒
１３１          楔形嵌着部
１４１          第一阻止壁
１４２          第二阻止壁
１４３          嵌合部
１５            突出体
１６            収納部
１６１        可動部
１６２        押圧接合溝部
１７          定位柱
２０          上蓋
２１          上凹部
２２          固定孔
２３          固定筒
２４          切欠口
２５          制御板
２６１        第一嵌合壁
２６２        第二嵌合壁
２６３        棒状嵌着部
３０          下蓋
３１          棒状突出部
３１１        下凹部
３２          収容孔
３３          収容筒
３４          嵌着台
３５          固定溝
３６          定位孔
４０          歯車軸
４１          回転部
４２          被嵌部
４３          回転歯
５０          導電片
６０          直線歯
６１          ガイドレール
６２          スライド歯
７０          回転環
７１          溝部
７２          阻止体
７３          円弧形歯
８０          引動機構
８１          スライド体
８１１        位置限定部
８１２        押圧接合部
８１３        窪み部
８２          弾性部品
【図１】
0003186178.tif 000003
【図２】
0003186178.tif 000004
【図３】
0003186178.tif 000005
【図４】
0003186178.tif 000006
【図５】
0003186178.tif 000007
【図６】
0003186178.tif 000008
【図７】
0003186178.tif 000009